(57)【要約】 【課題】  外側へ回動して開閉を行う窓に対しても、キャンバスで窓を覆っても窓の開閉が円滑に行われ、採光や採光を行うことが可能なオーニング装置を提供する。  【解決手段】  窓部２１が外側に開閉自在な窓枠２２に設けられる巻取部３０と、窓枠２２に対して軸支され、巻取部３０に対して回動自在なアーム４０と、巻取部３０とアーム４０との間に設けられ、アーム４０の回動時に巻取部３０により巻き取られ、室内に対して遮光または採光を行うキャンバス６０とを備えたオーニング装置１において、アーム４０の回動に伴い、巻取部３０とアーム４０との間でキャンパス６０を窓枠２２に対して外側に膨出させるキャンパス膨出部７０を備え、キャンパス膨出部７０は、窓部２１の開閉軌動を用いてキャンバス６０を張り出す構成とする。【選択図】  図１
2012052307.tif 000002
【特許請求の範囲】
【請求項１】
窓部が外側に開閉自在な窓枠に設けられる巻取部と、
前記窓枠に対して軸支され、前記巻取部に対して回動自在なアームと、
前記巻取部と前記アームとの間に設けられ、前記アームの回動時に前記巻取部により巻き取られ、室内に対して遮光または採光を行うキャンバスとを備えたオーニング装置において、
前記アームの回動に伴い、前記巻取部と前記アームとの間で前記キャンパスを前記窓枠に対して外側に膨出させるキャンパス膨出部を備え、
前記キャンバス膨出部は、前記窓部の開閉軌動を用いて前記キャンバスを張り出すことを特徴とするオーニング装置。
【請求項２】
前記キャンバス膨出部は、開閉する窓部の端部に設けられている請求項１に記載のオーニング装置。
【請求項３】
前記キャンバス膨出部は前記キャンバスと摺接部位に曲部を有し、前記曲部により前記キャンバスを膨出させる請求項１または請求項２に記載のオーニング装置。
【請求項４】
前記キャンバス膨出部は回転自在なローラー部材を有し、前記ローラー部材により前記キャンバスを膨出させる請求項１または請求項２に記載のオーニング装置。
【発明の詳細な説明】
【技術分野】
【０００１】
本発明は、室内を遮光や採光及び換気するオーニング装置に関するものである。
【背景技術】
【０００２】
従来、室内を遮光や採光及び換気するオーニング装置は、窓枠に対して取り付けられた巻取部と、窓枠に対して左右一対の支柱と、一対の支柱に対して回動自在なアームと、アームの先端に取り付けられアーム間を結ぶ張出用バーと、巻取部及び張出用バーの間に配設されたキャンバスとで構成されたオーニング装置が、特許文献１に開示されている。この特許文献１に示されるオーニング装置は、張出用バーがアームの移動に合わせて動き、キャンバスを引っ張ることにより、キャンバスは開く構成となっている。
【先行技術文献】
【特許文献】
【０００３】
【特許文献１】特開２００６−３７５１２号公報
【発明の概要】
【発明が解決しようとする課題】
【０００４】
上記したオーニング装置は、外側へ回動して開閉を行う窓の場合に、アームが回動してキャンバスが窓枠を覆う際に迫り出した窓枠とキャンバスとが接触して、キャンバスの耐久性が損なわれるおそれがある。また、キャンバスで窓枠を覆った後、窓を開けようとした際には、このオーニング装置では、キャンバスの引っ張り方向に対して窓の回動軌跡が直交するためキャンバスと窓との接触部分に力が集中し、窓を円滑に開動作を行うことが困難であり、上記のようにキャンバスの耐久性に対して対策する必要がある。
【０００５】
そこで、本発明は、外側へ回動して開閉を行う窓に対しても、キャンバスで窓を覆っても窓の開閉が円滑に行われ、遮光や採光を行うことが可能なオーニング装置を提供する。
【課題を解決するための手段】
【０００６】
上記の課題を解決するために講じた手段は、  窓部が外側に開閉自在な窓枠に設けられる巻取部と、窓枠に対して軸支され、巻取部に対して回動自在なアームと、巻取部と前記アームとの間に設けられ、アームの回動時に巻取部により巻き取られ、室内に対して遮光または採光を行うキャンバスとを備えたオーニング装置において、アームの回動に伴い、巻取部とアームとの間でキャンパスを窓枠に対して外側に膨出させるキャンパス膨出部を備え、キャンパス膨出部は窓部の開閉軌動を用いてキャンバスを張り出す構成となっている。
【０００７】
この場合は、キャンバス膨出部は、開閉する窓部の端部に設けられていると良い。
【０００８】
また、キャンバス膨出部は曲部を有し、曲部によりキャンバスを膨出させると良い。
【０００９】
また、キャンバス膨出部はキャンバスとの摺接部位に回転自在なローラー部材を有し、ローラー部材によりキャンバスを膨出させる。
【発明の効果】
【００１０】
本発明によれば、このオーニング装置は、外側へ回動して開閉を行う窓部にキャンバスを膨出するキャンバス膨出部を取り付けている。このオーニング装置は、開動作を完了することで、キャンバスが窓部を覆う状態となる。また、この時、オーニング装置は、キャンバス膨出部がキャンバスを膨出させることで、窓部の開閉動作を可能する。このため、オーニング装置は、外部からの視線を遮ることで屋内のプライバシーが確保するともに遮光及び採光、換気させることが可能である。さらに、このオーニング装置は、キャンバスが窓部の表面を覆った状態で窓部が開閉できるため、屋内の窓部から放熱を抑制し、熱損失を低減できるとともに、換気によって屋内の熱を放出することが可能である。
【００１１】
また、オーニング装置は、キャンバスを膨出する際に、窓部の端部にキャンバス膨出部を設けることで、窓部が外側に開動作すると、窓部の端部がキャンバスと当接するため、キャンバスの膨出を補助することが可能となる。これにより、オーニング装置は、キャンバスの全閉状態で採光及び換気を行う際に、窓部の円滑な開動作を行うことができる。
【００１２】
また、このキャンバスとの摺動部位に曲部を有するキャンバス膨出部は、キャンバスが張り出された際に、曲部によってキャンバス膨出部とキャンバスとの当接する部位の面積が大きくなるので応力が分散され、キャンバスの耐久性を向上させることができる。
【００１３】
また、この回転可能なキャンバス膨出部は、キャンバスが巻取部及びアームによって張り出された際に、回転しながらキャンバスとキャンバス膨出部の曲部とが接触し、キャンバス膨出部の回転に沿ってキャンバスを張り出せる。このため、オーニング装置はキャンバス及びキャンバス膨出部に対して応力が特定箇所のみに集中することなく、よりキャンバス及びキャンバス膨出部の耐久性を向上、円滑な開閉動作が実現できる。
【図面の簡単な説明】
【００１４】
【図１】本発明に係わるオーニング装置の構成を示す斜視図である。
【図２】図１のオーニング装置の巻取部の内部構成を示す説明図である。
【図３】図１のオーニング装置のキャンバス膨出部を示す上視図で、（ａ）はキャンバス膨出部に断面が円形の回転部材を適用した図、（ｂ）はキャンバス膨出部に断面がＲ状のコーナーを適用した図である。
【図４】窓閉状態における図１に示すオーニング装置の閉状態時の斜視図である。
【図５】図４に示すオーニング装置のキャンバスが開途中状態時の斜視図である。
【図６】図４に示すオーニング装置のキャンバスが全開状態時の斜視図である。
【図７】窓開状態における図１に示すオーニング装置のキャンバスが開途中状態時の斜視図である。
【図８】図７に示すオーニング装置のキャンバスが全開状態時の斜視図である。
【図９】従来のオーニング装置の説明図である。
【発明を実施するための形態】
【００１５】
本発明の実施形態について以下に説明する。
【００１６】
本発明を説明する前に、従来の構成について図９を用いて説明する。図９は、従来のオーニング装置の説明図を示している。
【００１７】
図９に示すように、従来のように取付けられたオーニング装置２は、窓枠２２に対して左右のいずれかが外側に開動作する窓２０（縦すべり出し窓と称す）において、開状態時での窓部２１の上部とキャンバス３が接触するため使用できない場合がある。さらに、オーニング装置２を窓枠２２に対して９０度回転させた位置に取り付けたとしても、オーニング装置２は、キャンバス３と窓部２１の端部とが点又は線接触するため、キャンバス３と窓部２１との接触部分では応力が集中し、キャンバス３の耐久性の向上が必要となる。このため、本実施形態は、このような従来のオーニング装置の問題点を解決した構成となっている。
【００１８】
本発明の実施形態に係わるオーニング装置１の構成について、図１を用いて説明する。図１は、本発明に係わるオーニング装置の斜視図を示している。
【００１９】
図１より、このオーニング装置１は、窓枠２２に対して左右のいずれかが外側に滑り出すように回動して開状態となる窓部２１を有する縦すべり出し窓２０に取り付けるものである。このオーニング装置１は、縦すべり出し窓２０の窓部２１の回動方向と垂直方向の窓枠２２（縦すべり出し窓２０の窓枠２２の側部２２ａ）の一方（長手方向）に設けられた巻き出し及び巻き取りを自在にできる機構を内部に備える巻取部３０と、窓枠２２の上部２２ｂ及び下部２２ｃに軸支され、巻取部３０に対して回動可能に設けられたアーム４０と、上下の両アーム４０を繋ぐ引張バー５０と、アーム４０の引張バー５０及び巻取部３０に取り付けられ、巻取部３０に対して、張り出し及び巻き取りが行われるキャンバス６０と、縦すべり出し窓２０の窓部２１の端部に設けられたキャンバス膨出部７０とで構成されている。このオーニング装置１には、巻き取り及び巻き出し機構である巻取部３０の故障の原因となる塵や埃の付着防止や巻取部３０への巻き込みの防止といった安全性の確保及び外観の意匠性の確保のためにケース８０が巻取部３０の形状に沿って外側に設けられている。また、アーム４０は、例えば、ばね等によって開方向に付勢力が働いて回動する構造であり、巻取部３０がキャンバス６０を巻き出すと同時にアーム４０は回動するため、キャンバス６０は張った状態を保持することができる。キャンバス膨出部７０は、張り出したキャンバス６０と面接触し、キャンバス６０を外側へ膨出する構造となっているため、オーニング装置１は採光を行うことができる。また、このオーニング装置１は、キャンバス膨出部７０のキャンバス６０との摺動部位に曲部７１を有しているため、キャンバス膨出部７０及びキャンバス６０の接触する部位に掛かる応力を分散させて、キャンバス６０の耐久性を向上させる構成となっている。
【００２０】
次に、本発明に係わる巻取部３０の構造について図２を用いて説明する。図２は、図１のオーニング装置１の巻取部３０の内部構成を示す説明図である。
【００２１】
図２より、図１に示すオーニング装置１における巻取部３０は図２に示す如く窓枠２２の長手方向で両持ちで支持され、一方が窓枠２２に対して取り付けられる支持体３１ａに固定され、他方が窓枠２２に対して回動自在に支持体３１ｂに支持される構成となっている。巻取部３０は、駆動機構の駆動源となる一端が支持体３１ａに固定されたモータ３２と、モータ３２の出力となり回転を行う回転部３３と、キャンバス６０を巻き取り及び巻き出すために回転部３３に取付けられた筒状のロール３４と、ロール３４と一体となって回転するシャフト３５と、シャフト３５の一部に設けられ、キャンバス６０の端部を検知する検知部材３６（スイッチもしくは回転センサ）とを備えている。このモータ３２は、巻取部３０を支持する支持体４０の一方の支持体３１ａに固定されており、モータ３２の出力となる回転部分は円筒状のロール３４が取付けられている。また、シャフト３５は、他方の支持体３１ｂに回動自在に支持されている。巻取部３０は、モータ３２の回転（正回転または逆回転）と同時に回転部３３が回転しこれにともなってロール３４が回転することにより、キャンバス６０の巻取り及び巻戻しを行うことができる構成となっている。更に、ロール３４が一方向に回転することによりシャフト３５が回転するため、支持体３１ｂの固定側に設けられた検知部材３６は、シャフト３５の回転状態からキャンパス６０の巻き出しや巻取りの端部を接触または非接触にて検知することができる。この検知部材３６は公知のものを用いており、詳細な説明は省略する。
【００２２】
次に、本発明に係わるキャンバス膨出部７０の構造について図３を用いて説明する。図３は、オーニング装置１のキャンバス膨出部７０の上視図であり、（ａ）断面が円形のローラ形状、（ｂ）断面がＲ状のコーナー形状を示している。
【００２３】
図３（ａ）は、開状態となる窓部２１の外側の端部２１ａに回転自在なローラー部材７２を有するキャンバス膨出部７０が窓部２１の外側かつ窓部２１に直交する方向（窓開状態時に巻取部と対向する側）に設けられている。このキャンバス膨出部７０のローラー部材７２は、窓部２０の端部２１ａに支持部７３によって回転可能に支持されているため、キャンバス６０が巻取部３０及びアーム４０によって張り出された際に、ローラー部材７２がキャンバス６０と回転しながら面接触し、ローラー部材７２の回転に沿ってキャンバス６０を張り出せる。このため、オーニング装置１はキャンバス６０及びキャンバス膨出部７０に対して応力が特定箇所のみに集中することなく、キャンバス６０及びキャンバス膨出部７０の耐久性を向上し、円滑な開閉動作が実現できる。
【００２４】
図３（ｂ）は、ローラ部材を用いない別例を示し、開状態となる窓部２１の外側の端部２１ａに断面がＲ形状の曲部７１を成すコーナー部材７４を有するキャンバス膨出部７０が設けられている。このキャンバス膨出部７０のコーナー部材７４は、曲部７１を有しているためキャンバス６０が巻取部３０及びアーム４０によって張り出された際に、Ｒ形状の曲部７１とキャンバス６０とが摺接するため、摺接部位での応力が集中することなく、キャンバス６０及びキャンバス膨出部７０の耐久性を向上、円滑な開閉動作が実現できる。
【００２５】
図３（ａ）（ｂ）のキャンバス膨出部７０は、例えば、キャンバス膨出部７０の耐久性や膨出時にキャンバスを傷めないためにアルミ等の金属又は樹脂材であってもよい。
【００２６】
次にオーニング装置１の開閉動作に関して、窓が閉状態時のオーニング動作を図４〜図６、開状態時のオーニング動作を図１及び図７、図８を用いて説明する。図４は、窓閉状態における図１に示すオーニング装置１が閉状態時の斜視図を示している。図５は、図４に示すオーニング装置１のキャンバス６０が開途中状態時の斜視図を示し、図６は図４に示すオーニング装置１のキャンバス６０が全開状態時の斜視図を示している。図７は、窓開状態における図１に示すオーニング装置１のキャンバス６０が開途中状態時の斜視図を示し、図８は図７に示すオーニング装置１のキャンバス６０が全開状態時の斜視図を示している。
【００２７】
（窓部２１が閉状態時のオーニング装置１の動作）
図４のオーニング装置１は、窓部２１が閉状態時において、オーニング装置１も閉状態であることを示している。このオーニング装置１は、巻取部３０がキャンバス６０を巻き取る力が、アーム４０がオーニング装置１のキャンバス６０の開状態へ掛かる力よりも大きいためオーニング装置１のキャンバス６０は閉状態を保持している。
【００２８】
図５及び図６より、巻取部３０がキャンバス６０を張り出すために巻き出し動作を行うと、オーニング装置１の開方向へと付勢力が働くアーム４０が開状態へと回動してキャンバス６０が張り出される。この時、窓部２１は閉状態にあるため、キャンバス６０と窓部２１の端部２１ａは当接することがないため、円滑な開動作を行うことができる。このオーニング装置１は、開動作を完了することで、キャンバス６０が窓部２１を覆う状態となる。このため、オーニング装置１は、屋外からの視線を遮断することが可能となり屋内のプライバシーが確保される。さらに、このオーニング装置１はキャンバス６０が窓部２１の表面を覆っているため、屋内の窓部２１から放熱を抑制し、熱損失を低減できるため、冬場での屋内の保温を促進し、夏場での外気からの熱の蓄熱を抑制できる。さらに、本来のオーニング装置１としての採光や遮光は、オーニング装置１の開閉具合を調整することで可能となる。
【００２９】
（窓部２１が開状態時のオーニング装置１の動作）
図１のオーニング装置１は、窓部２１が開状態時において、オーニング装置１も閉状態であることを示している。このオーニング装置１は、巻取部３０がキャンバス６０を巻き取る力に対して、アーム４０がオーニング装置１のキャンバス６０の開状態へ掛かる力よりも大きいためオーニング装置１は閉状態を保持している。この窓部２１は、窓枠２２に対して長手方向の左右の端部のいずれか一方が外側に滑り出すようにして回動して開状態となっている。
【００３０】
図７及び図８は、巻取部３０がキャンバス６０を張り出すために巻き出し動作を行うと、オーニング装置１の開方向へと付勢力が働くアーム４０が開状態へと回動してキャンバス６０が張り出される。この時、窓部２１は開状態にあるため、オーニング装置１の開動作中にキャンバス６０が窓部２１の端部２１ａに取り付けられたキャンバス膨出部７０と当接する。この時、キャンバス６０とキャンバス膨出部７０とは摺接していることでキャンバス６０とキャンバス膨出部７０との間の応力が分散されるため、キャンバス６０オーニング装置１が円滑に開動作を行うことが可能である。さらに、このオーニング装置１は、開動作を完了することで、屋外からの視線を遮ることが可能となり、屋内のプライバシーが確保される。また、実施形態のような窓部２１の構造の場合に上下が開口状態となる。屋内に熱がこもった状態でオーニング装置１を使用することは、プライバシーを確保しながら屋内の熱を屋外へと放射することも可能である。この時、オーニング装置１の上部が開口しているため、空気が外気へと円滑に流れることが可能である。さらに、実施形態のような縦すべり出し窓２０の窓部２１の構造は、採光量を考慮すると住宅の南以外に取り付けられることが多いため、このオーニング装置１は、上下部が開口状態であっても、東西からの太陽の光に対して採光及ぶ遮光を行うことが可能である。
【００３１】
以上、実施形態の構成について説明したが、本発明はこれに限定されるものではなく、以下に示す態様に変更してもよい。
【００３２】
・このオーニング装置１は、実施形態の縦すべり出し窓２０のほかに、上下のいずれかが外側に滑り出すように回動して開状態となる窓（横すべり出し窓）にも適用可能である。
【００３３】
・また、このオーニング装置１は、略中央を回動中心として左右が開閉するような窓においても、窓部２１の両端部にキャンバス膨出部７０を取り付けることで、キャンバス６０とキャンバス膨出部７０が摺接するため、キャンバス６０の耐久性を向上できる。
【００３４】
・このオーニング装置１は、巻取部３０にケース８０を必ずしも設けている必要はない。
【００３５】
・巻取部は３０、正回転または逆回転が可能であるが、一方向のみの回転の場合は、巻き取り方向にのみ回転を行う。このような巻取部３０におけるキャンバス６０の張り出しの場合は、アーム４０がキャンバス６０を張り出す方向への付勢力によって回動することで行うことが可能である。キャンバス６０の位置は、モータ３２を通電することでアーム４０の回動と逆方向に力を加えることで調整を行うことができる。また、巻取部３０は、モータ４２ではなく手動によって、ロール３４を回転させてキャンバス６０の張り出し及び巻き取りを行うことも可能である。
【符号の説明】
【００３６】
１  オーニング装置
２１  窓部
２２  窓枠
３０  巻取部
４０  アーム
６０  キャンバス
７０  キャンバス膨出部
７１  曲部
【図１】
2012052307.tif 000003
【図２】
2012052307.tif 000004
【図３】
2012052307.tif 000005
【図４】
2012052307.tif 000006
【図５】
2012052307.tif 000007
【図６】
2012052307.tif 000008
【図７】
2012052307.tif 000009
【図８】
2012052307.tif 000010
【図９】
2012052307.tif 000011